(57)【要約】【課題】非接触型ＩＣカードの発行者からカード使用者に非接触型ＩＣカードが送付される際にスキミングを防止し、かつ、カード使用者が非接触型ＩＣカードを携帯する際においてもスキミングを防止することができるカードケースを提供すること。【解決手段】ケース本体１０には、電磁波を遮蔽する金属膜１２ａ及び１２ｂが設けられおり、カード発行者からカード使用者に非接触型ＩＣカード３０を送付する際にスキミングの防止をすることができる。カード使用者は、開口１１ａ及び１１ｂの封印を解き、そのまま剥離部２２を粘着部１３ａから剥がし、粘着部１３ａを露出させることができる。カード使用者は、粘着部１３ａを露出させた後、ケース本体１０を既存の財布や定期入れなどのケース収容部に挿入する。これにより、カード使用者が非接触型ＩＣカード３０を財布や定期入れなどに入れて携帯する際においてもスキミングを防止することができる。【選択図】図１
2008264261.tif 000002
【特許請求の範囲】
【請求項１】
アンテナを有する非接触型ＩＣカードが収容されるカードケースであって、
前記非接触型ＩＣカードが出し入れされる開口を有するケース本体と、
前記ケース本体に設けられ、前記アンテナにより送受信される電磁波を遮蔽する遮蔽部と、
前記ケース本体に設けられた粘着部と、
前記粘着部に貼り付けられ、当該粘着部から剥離可能であり、前記開口を封印する封印部材と
を具備することを特徴とするカードケース。
【請求項２】
請求項１に記載のカードケースであって、
前記ケース本体は、
第１の長さでなる第１の縁部と、
前記第１の縁部に隣接し、前記第１の長さより長い第２の長さでなる第２の縁部とを有し、
前記開口は、前記第１の縁部と前記第２の縁部とに連続して設けられている
ことを特徴とするカードケース。
【請求項３】
請求項２に記載のカードケースであって、
前記ケース本体は、表面を有し、
前記粘着部は、前記表面に設けられ、斜め方向に長い形状でなる
ことを特徴とするカードケース。
【請求項４】
請求項３に記載のカードケースであって、
前記封印部材は、
前記粘着部に貼り付けられたテープ状の剥離部と、
前記剥離部の端部から分岐するように、前記第１の縁部及び前記第２の縁部にそれぞれ設けられた第１の封印部及び第２の封印部と
を有する
ことを特徴とするカードケース。
【請求項５】
請求項１に記載のカードケースであって、
前記封印部材は、
前記粘着部に貼り付けられた剥離部と、
前記剥離部から折り返されるように設けられた折り返し部と、
前記折り返し部の端部に設けられ、前記開口を封印する封印部と
を有することを特徴とするカードケース。
【請求項６】
請求項２に記載のカードケースであって、
前記ケース本体は、前記第１の縁部と第２の縁部とが繋がる角部を有し、
前記封印部材は、
前記粘着部に貼り付けられた剥離部と、
前記剥離部から前記角部へ向けて斜めに折り返されるように設けられ、前記斜め方向に長い形状でなる折り返し部と、
前記折り返し部の端部に設けられ、前記角部で前記開口を封印する封印部と
を有することを特徴とするカードケース。
【請求項７】
請求項１に記載のカードケースであって、
前記ケース本体は、
表面と、
当該表面の反対側の裏面とを有し、
前記粘着部は、
前記表面に設けられた第１の粘着部と、
前記裏面に設けられた第２の粘着部とを有し、
前記封印部材は、前記表面から前記裏面にかけて折り返されて前記第１の粘着部及び前記第２の粘着部に貼り付けられることで、前記開口を封印する
ことを特徴とするカードケース。
【請求項８】
請求項７に記載のカードケースであって、
前記ケース本体は、
第１の長さでなる第１の縁部と、
前記第１の縁部に隣接し、前記第１の長さより長い第２の長さでなる第２の縁部とを有し、
前記開口は、前記表面と前記裏面を区切るように前記第１の縁部と前記第２の縁部とに連続して設けられている
ことを特徴とするカードケース。
【発明の詳細な説明】
【技術分野】
【０００１】
本発明は、スキミングを防止することができるカードケースに関する。
【背景技術】
【０００２】
近年、非接触型ＩＣ(Integrated Circuit)カードは、各種交通機関の乗車券、電子マネーカードやクレジットカード、あるいは社員証等に広く採用されている。
【０００３】
この非接触型ＩＣカードは、アンテナコイルとＩＣチップとを有しており、電磁波を利用して非接触でカードリーダ・ライタなどの外部機器との間でデータやプログラムの読み書きを行う。
具体的な動作は次のようになる。外部機器が、非接触型ＩＣカードに内蔵されたアンテナコイル内を貫く磁束を時間変化させることにより、アンテナコイルに誘導起電力を発生させる。非接触型ＩＣカードは、この誘導起電力を駆動電力として、ＩＣチップにより情報の処理を行う。さらに、非接触型ＩＣカードは、アンテナコイルにより、カードリーダ・ライタなどの外部機器との間で電磁波を通じて相互に情報の交換を行う。
【０００４】
このように、非接触型ＩＣカードは、電磁波を用いてデータやプログラムの読み書きを行うことから、外部からデータがスキミングされる、あるいは改ざんされる可能性があるという問題がある。
【０００５】
具体的には、非接触型ＩＣカードがカード発行者からカード使用者に郵送される際に、ＩＣチップに記憶されたデータがカードリーダ等の外部機器に読み取られてしまう危険性があり、このデータが不正に使用されてしまう可能性がある。特に、郵送による場合には、住所や氏名が特定されるため、カード使用者の特定が容易にされてしまい、不正使用が容易に行われる可能性が高い。また、カード使用者が非接触型ＩＣカードを財布などに収容し、携帯している際に、非接触型ＩＣカードがカードリーダ等の外部機器に近づけられただけで、データが読み取られてしまう可能性もある。
【０００６】
このような問題に関連する技術として、次のような技術がある。金属シート等の電磁波遮蔽シート５が、非接触型ＩＣカード１及び当該非接触型ＩＣカードを担持するためのカード台紙２とともに送付用封筒６により密封されることにより、カードの発行者からカード使用者に非接触型ＩＣカードが送付される際に、外部からの電磁波を遮蔽する、という技術である（例えば、特許文献１参照）。また、電磁波遮蔽効果を有する１枚のカード２あるいは折りたたまれた１枚のカード８が、非接触型ＩＣカード３とともに既存の収納ケース４や折りたたみの収納ケース５に収納されることにより、外部からの電磁波を遮蔽する技術が開示されている（特許文献２参照）。
【特許文献１】実登３０６６２１４号公報（段落[００１８]、図１）
【特許文献２】特開２００６−３１３４８２号公報（段落[００１７] 、[００２９]、図２、図７）
【発明の開示】
【発明が解決しようとする課題】
【０００７】
しかしながら、特許文献１に記載の送付用封筒は、カードの発行者からカード使用者に非接触型ＩＣカードが送付される際には、外部からの電磁波を遮蔽することができるが、その後に、カード使用者が非接触型ＩＣカードを携帯する際に外部からの電磁波を遮蔽することは想定されていない。したがって、カード使用者は、外部からデータがスキミングされる、あるいは改ざんされることを防止するためには、電磁波遮蔽効果のある財布や定期入れなどを別途に購入する必要がある。または、カード使用者は、特許文献２に記載された電磁波遮蔽効果を有する１枚のカードを別途に購入し、既存の財布や定期入れに当該カードを収容する必要がある。
【０００８】
以上のような事情に鑑み、本発明の目的は、非接触型ＩＣカードの発行者からカード使用者に非接触型ＩＣカードが送付される際にスキミングを防止し、かつ、非接触型ＩＣカード携帯時においてもスキミングを防止することができるカードケースを提供することにある。
【課題を解決するための手段】
【０００９】
上記目的達成のため、本発明に係るカードケースは、アンテナを有する非接触型ＩＣカードが収容されるカードケースであって、前記非接触型ＩＣカードが出し入れされる開口を有するケース本体と、前記ケース本体に設けられ、前記アンテナにより送受信される電磁波を遮蔽する遮蔽部と、前記ケース本体に設けられた粘着部と、前記粘着部に貼り付けられ、当該粘着部から剥離可能であり、前記開口を封印する封印部材とを具備することを特徴とする。
【００１０】
本発明に係るカードケースは、ケース本体に電磁波を遮蔽する遮蔽部が設けられている。これにより、カード発行者からカード使用者に非接触型ＩＣカードを送付する際にスキミングの防止をすることができる。さらに開口を封印する封印部材を具備することにより、カード送付時に不正に開口の封印が解かれ、スキミングがされていないことを証明することができる。また、本発明においては、２枚のカードの例えば財布に入れておく場合に、一方のカードを本発明に係るカードケースに入れたままの状態で、他方のカードをこのようなカードケースに入れない状態で財布に入れる。これにより、カードケースに入れたカードが動作状態とはならないことから、カードケースに入れていないカードが誤動作をすることはなくなる。
【００１１】
上記封印部材は、ケース本体に設けられた粘着部に貼り付けられ、当該粘着部から剥離可能である。これにより、上記開口の封印を解くことで、そのまま上記粘着部を露出させることができる。
【００１２】
本発明に係るカードケースは、上述のように粘着部を具備している。これにより、例えば財布のカード収容部に、本発明に係るカードケースを挿入することで、カード収容部の内面に粘着部が貼り付けられ、カードケースが財布のカード収容部から外れることを防止することができる。これにより、非接触型ＩＣカード携帯時においてもスキミングを防止することができる
上記カードケースにおいて、前記ケース本体は、第１の長さでなる第１の縁部と、前記第１の縁部に隣接し、前記第１の長さより長い第２の長さでなる第２の縁部とを有し、前記開口は、前記第１の縁部と前記第２の縁部とに連続して設けられているようにしてもよい。
【００１３】
これにより、例えば、財布のカード収容部に本発明に係るカードケースを挿入する場合、上記開口が設けられている第１の縁部又は第２の縁部のうちいずれか一方を財布のカード収容部に設けられた挿入口に対応させることができる。これにより、財布のカード収容部が非接触型ＩＣカードの長手方向へ出し入れされる形状であっても、短手方向へ出し入れされる形状であっても、カードケースを財布のカード収容部に挿入した状態で、非接触型ＩＣカードを収容部から出し入れすることができる。
【００１４】
上記カードケースにおいて、前記ケース本体は、表面を有し、前記粘着部は、前記表面に設けられ、斜め方向に長い形状でなるようにしてもよい。
【００１５】
本発明においては、上記粘着部が上記表面に斜めに設けられている。これにより、粘着部の面積を小さくしながらも、例えば財布のカード収容部の形状にかかわらず、効率よく上記カード収容部の内面に粘着部を貼り付けることができる。
【００１６】
上記カードケースにおいて、前記封印部材は、前記粘着部に貼り付けられたテープ状の剥離部と、前記剥離部の端部から分岐するように、前記第１の縁部及び前記第２の縁部にそれぞれ設けられた第１の封印部及び第２の封印部とを有するようにしてもよい。
【００１７】
上記カードケースにおいて、前記封印部材は、前記粘着部に貼り付けられた剥離部と、前記剥離部から折り返されるように設けられた折り返し部と、前記折り返し部の端部に設けられ、前記開口を封印する封印部とを有するようにしてもよい。
【００１８】
本発明においては、上記封印部材は、上記粘着部に貼り付けられた剥離部と、当該剥離分から折り返された折り返し部とを有している。これにより、封印部の封印を解いた後、折り返し部を折り返された方向へ移動させると、上記粘着部から上記剥離部を、折り返された部分から剥がすことができる。これにより、例えば、財布のカード収容部に上記カードケースを挿入した後に、上記粘着部から上記剥離部を剥がすことができる。
【００１９】
上記カードケースにおいて、前記ケース本体は、前記第１の縁部と第２の縁部とが繋がる角部を有し、前記封印部材は、前記粘着部に貼り付けられた剥離部と、前記剥離部から前記角部へ向けて斜めに折り返されるように設けられ、前記斜め方向に長い形状でなる折り返し部と、前記折り返し部の端部に設けられ、前記角部で前記開口を封印する封印部とを有するようにしてもよい。
【００２０】
本発明においては、上記折り返し部は、上記剥離部から上記角部へ向けて斜めに折り返されている。これにより、財布のカード収容部が非接触型ＩＣカードの長手方向へ出し入れされる形状であっても、短手方向へ出し入れされる形状であっても、カードケースを財布のカード収容部に挿入した状態で、上記粘着部から容易に上記剥離部を剥がすことができる。
【００２１】
上記カードケースにおいて、前記ケース本体は、表面と、当該表面の反対側の裏面とを有し、前記粘着部は、前記表面に設けられた第１の粘着部と、前記裏面に設けられた第２の粘着部とを有し、前記封印部材は、前記表面から前記裏面にかけて折り返されて前記第１の粘着部及び前記第２の粘着部に貼り付けられることで、前記開口を封印するようにしてもよい。
【００２２】
これにより、例えば、カードケースが財布のカード収容部から外れることを防止する効果がより大きくなる。
【００２３】
上記記載のカードケースにおいて、前記ケース本体は、第１の長さでなる第１の縁部と、前記第１の縁部に隣接し、前記第１の長さより長い第２の長さでなる第２の縁部とを有し、
前記開口は、前記表面と前記裏面を区切るように前記第１の縁部と前記第２の縁部とに連続して設けられているようにしてもよい。
【発明の効果】
【００２４】
以上のように、本発明によれば、非接触型ＩＣカードの発行者からカード使用者に非接触型ＩＣカードが送付される際にスキミングを防止し、かつ、非接触型ＩＣカード携帯時においてもスキミングを防止することができるカードケースを提供することができる。
【発明を実施するための最良の形態】
【００２５】
以下、本発明の実施の形態を図面に基づき説明する。
【００２６】
（第１実施形態）  
本発明の第１の実施形態について説明する。図１は、本実施形態におけるカードケースを示す平面図であり、図２は、当該カードケースを示す底面図である。図３及び図４は、このカードケースの分解図である。図５は、図１に示すＡ−Ａ’間の断面図である。図６は、カードケースに収容される非接触型ＩＣカードの内部構造を示す図である。
【００２７】
これらの図に示すように、本実施形態に係るカードケース１００は、ケース本体１０と、封印部材２０とで構成されており、ケース本体１０は非接触型ＩＣカード３０を収容することができる。
【００２８】
ケース本体１０は、略矩形の平板形状であり、表側部材１０ａ、裏側部材１０ｂ、上縁部１０ｃ、下縁部１０ｄ、右縁部１０ｅ及び左縁部１０ｆを有している。下縁部１０ｄ及び左縁部１０ｆで表側部材１０ａと裏側部材１０ｂとが連続的に繋がっており、上縁部１０ｃ及び右縁部１０ｅとに連続して開口１１ａ及び１１ｂが設けられている。この開口１１ａまたは１１ｂから非接触型ＩＣカード３０が出し入れされる。
【００２９】
上記ケース本体１０は、塩化ビニル、ポリエチレン、ナイロンなどの樹脂素材や、綿、麻などを用いた織物や、紙、あるいはその他の材料で構成される。このケース本体１０の大きさは、後述する財布や、定期入れなどに設けられたカード収容部の大きさとの関係で、非接触型ＩＣカード３０より若干大きい程度の大きさとなっている。
【００３０】
図５に示すように、上記表側部材１０ａの内部及び上記裏側部材１０ｂの内部には、電磁波を遮蔽可能な金属膜（遮蔽部）１２ａと１２ｂとが設けられている。
【００３１】
上記金属膜は、銀、銅、アルミニウム、その他の金属で構成されている。この金属膜は、上記ケース本体１０の表面１０ａ−１（上記表側部材の外面）及び裏面１０ｂ−１(上記裏側部材の外面)と略同程度の面積となっている。
【００３２】
上記ケース本体１０の表面１０ａ−１には、斜め方向に長い形状の粘着部１３ａが設けられている。具体的には、上記上縁部１０ｃと右縁部１０ｅとが繋がる第１の角部１０ｇから、上記下縁部１０ｄと左縁部１０ｆとが繋がる第２の角部１０ｈへ向かう方向へ、粘着部１３ａが設けられている。この粘着部１３ａは、アクリル樹脂系粘着剤や、シリコーン系粘着剤、フェノール樹脂系粘着剤などで構成されるが、後述する財布などのカード収容部の内面に粘着可能な粘着剤であればよい。
【００３３】
図４に示すように、上記封印部材２０は、封印部２１と剥離部２２とで構成されている。この剥離部２２は、テープ形状であり、上記粘着部１３ａを覆うように、当該粘着部１３ａに剥離可能に貼り付けられている。上記封印部２１は、上記剥離部２２の端部から第１の封印部２１ａと第２の封印部２１ｂとに分岐している。上記第１の封印部の端部２１ａ−１及び上記第２の封印部の端部２１ｂ−１は、例えば糊付け、あるいはその他の接着方法により、それぞれケース本体の裏面１０ｂ−１に貼り付けられている。これにより、上記第１及び第２の封印部２１がそれぞれ上縁部１０ｃと右縁部１０ｅとで開口１１ａ及び１１ｂを挟み込むように封印している。
【００３４】
上記封印部材２０は、紙や樹脂などで構成されるが、上記粘着部１３ａから剥離可能なものであればよい。
【００３５】
図６(Ａ)に示すように、非接触型ＩＣカード３０ａは、アンテナコイル３１ａとＩＣチップ３２ａを内蔵している。このアンテナコイル３１ａが誘導起電力を発生させ、この誘導起電力によりＩＣチップ３２ａが情報処理を行う。さらに、アンテナコイル３１ａにより、カードリーダ・ライタなどの外部機器(図示せず)との間で電磁波を通じて相互に情報の交換を行う。図６(Ｂ)及び図６(Ｃ)に示す非接触型ＩＣカード３０ｂ、３０ｃついても同様となる。
【００３６】
上述のように、金属膜１２ａと１２ｂとは、上記ケース本体１０の表面１０ａ−１及び裏面１０ｂ−１と略同程度の面積となっている。これにより、例えば非接触型ＩＣカードのアンテナの形状が３１ａ、３１ｂ又は３１ｃであっても、電磁波を遮蔽することができ、スキミングを防止することができる。すなわち、本実施形態に係るカードケース１００は、汎用性が高い。
【００３７】
次に、上述のように構成されたカードケース１００の作用、効果について説明する。
【００３８】
上記カードケース１００は、例えば、送付用封筒(図示せず)に挿入され、当該送付用封筒内に密封された状態で、カード発行者からカード使用者に送付される。このカード送付時において、ケース本体に金属膜１２ａ及び１２ｂが設けられていることにより、スキミングの防止をすることができる。
【００３９】
上記送付用封筒がカード使用者に送付された後、カード使用者は、上記送付用封筒から上記カードケース１００を取り出す。本実施形態のように、上記第１及び第２の封印部２１が上記開口１１ａ及び１１ｂを封印していることにより、カード送付時に不正に当該開口１１ａ及び１１ｂの封印が解かれ、スキミングがされていないことを証明することができる。
【００４０】
次に、カード使用者は、上記開口１１ａ及び１１ｂの封印を解く。図７は、カード使用者が上記開口１１ａ及び１１ｂの封印を解く際の状態を示す図である。図７に示すように、裏面１０ｂ−１に糊付けなどにより貼り付けられている上記第１の封印部の端部２１ａ−１及び第２の封印部の端部２１ｂ−１を、当該裏面１０ｂ−１から剥がし、上記開口１１ａ及び１１ｂの封印を解く。
【００４１】
上記第１の封印部２１ａ及び第２の封印部２１ｂは、上記粘着部１３ａに剥離可能に貼り付けられた剥離部２２と繋がっている。これにより、上記開口１１ａ及び１１ｂの封印を解くことで、そのまま上記粘着部１３ａから上記剥離部２２を剥がし、当該粘着部１３ａを露出させることができる。カード使用者が上記粘着部１３ａを露出させる際の状態を図８に示す。
【００４２】
カード使用者は、上記粘着部１３ａを露出させた後、例えば、既存の財布や、定期入れに設けられたカード収容部にケース本体１０を挿入する。
【００４３】
図９は、カード使用者が、長手方向に非接触型ＩＣカードが出し入れされる形状の財布に、ケース本体１０を挿入する状態を示す図である。また、図１０は、カード使用者が、短手方向に非接触型ＩＣカードが出し入れされる形状の財布に、ケース本体１０を挿入する状態を示す図である。
【００４４】
本実施形態においては、ケース本体１０の大きさが非接触型ＩＣカード３０より、若干大きい程度の大きさとなっている。これにより、財布４０及び５０に設けられたカード収容部４１及び５１に上記ケース本体１０を挿入することができる。また、ケース本体１０には、上記上縁部１０ｃと上記右縁部１０ｅとに連続して開口１１ａ及び１１ｂが設けられている。これにより、長手方向に非接触型ＩＣカードが出し入れされる形状の財布４０に、ケース本体１０を挿入する場合には、右縁部１０ｅに設けられた開口１１ｂをカード収容部４１に設けられた挿入口４２に対応させることができる。一方で、短手方向に非接触型ＩＣカードが出し入れされる形状の財布５０に、ケース本体１０を挿入する場合には、上縁部１０ｃに設けられた開口１１ａをカード収容部５１に設けられた挿入口５２に対応させることができる。すなわち、カード収容部が非接触型ＩＣカードの長手方向へ出し入れされる形状であっても、短手方向へ出し入れされる形状であっても、ケース本体１０をカード収容部に挿入した状態で、非接触型ＩＣカード３０をカード収容部から出し入れすることができる。
【００４５】
上記ケース本体１０がカード収容部４１または５１に収容されると、上記粘着部１３ａがカード収容部４１または５１の内面に貼り付けられる。これにより、ケース本体１０がカード収容部４１または５１から外れることを防止することができる。本実施形態においては、特に、上記粘着部１３ａが斜め方向(上記第１の角部１０ｇから上記第２の角部１０ｈへ向かう方向)に長い形状で構成されている。これにより、粘着部１３ａの面積を小さくしながらも、カード収容部４１または５１の形状にかかわらず、効率よくカード収容部４１または５１の内面に粘着部１３ａを貼り付けることができる。
【００４６】
このように、ケース本体１０を既存の財布４０または５０や、定期入れに設けられたカード収容部４１または５１などに挿入することができることによって、カード使用者が非接触型ＩＣカード３０を財布４０などにより携帯する際にも、スキミングの防止をすることができる。
【００４７】
（第２実施形態）  
次に、本発明の第２の実施形態について説明する。これ以降の説明では、第１実施形態で示したカードケース１００の部材や機能等について同様のものは説明を簡略化または省略し、異なる点を中心に説明する。
【００４８】
図１１は、本実施形態におけるカードケースを示す平面図であり、図１２は、当該カードケースを示す底面図である。
【００４９】
これらの図に示すように、本実施形態に係るカードケース２００は、ケース本体１５と、封印部材６０とで構成されており、ケース本体１５は非接触型ＩＣカード３０を収容することができる。
【００５０】
ケース本体１５は、下縁部１５ｄ、右縁部１５ｅ及び左縁部１５ｆで表側部材１５ａと裏側部材１５ｂとが連続的に繋がっており、上縁部１５ｃにのみ開口１１ｃが設けられている。
【００５１】
上記ケース本体１５の表面１５ａ−１には、下縁部１５ｄから上縁部１５ｃへ向かう方向(Ｚ方向)に長い形状の粘着部１３ｂが設けられている。
【００５２】
上記封印部材６０の剥離部６２は、上記粘着部１３ｂを覆うように、当該粘着部１３ｂに剥離可能に貼り付けられている。上記封印部材６０の封印部６１の端部６１ａは、例えば糊付けなどにより、ケース本体の裏面１５ｂ−１に接着されている。
【００５３】
カード使用者は、上記封印部の端部６１ａをケース本体の裏面１０ｂ−１から剥がし、そのまま上記剥離部６２を上記粘着部１３ｂから剥がすことで、粘着部１３ｂを露出させることができる。粘着部１３ｂを露出させた後、例えば、図１０に示す財布５０にケース本体１０を挿入することでスキミングを防止することができる。
【００５４】
なお、本実施形態においては、カードケース２００は、１つの粘着部１３ｂと１つの封印部材６０とを備えているが、２以上の粘着部及びこれに対応する２以上の封印部材を備えていていもよい。
【００５５】
本実施形態では、上縁部１５ｃにのみ開口１１ｃが設けられたが、右縁部１５ｅ（または左縁部１５ｆ）にのみ開口が設けられていてもよい。
【００５６】
(第３実施形態)  
次に、本発明の第３の実施形態について説明する。
【００５７】
図１３は、本実施形態に係るカードケースの平面図であり、図１４は、当該カードケースを構成する封印部材の展開図である。また、図１５は、図１３に示すＢ−Ｂ’間の断面図である。
【００５８】
これらの図に示すように、本実施形態に係るカードケース３００は、上記第１の実施形態に係るケース本体１０と封印部材７０とで構成されている。
【００５９】
本実施形態においては、特に、上記封印部材７０が上述の第１実施形態とは異なるため、当該封印部材７０を中心に説明する。
【００６０】
図１４の展開図に示すように、上記封印部材７０は、テープ形状であり、剥離部７４と、折り返し部７２と、封印部７１とで構成されている。
【００６１】
上記剥離部７４は、ケース本体の表面１０ａ−１に設けられた、斜め方向(上記第１の角部１０ｇから上記第２の角部１０ｈへ向かう方向)に長い形状でなる粘着部１３ａを覆うように、当該粘着部１３ａに剥離可能に貼り付けられている。この剥離部７４から折り返し線７３により、折り返し部７２が折り返されている。具体的には、折り返し部７２は、ケース本体の第２の角部１０ｈ近傍で、当該第２の角部１０ｈからケース本体の第１の角部１０ｇへ向かう方向へ、当該剥離部７４に重なるように折り返されている。この折り返し部７２の端部から分岐するように、第１の封印部７１ａと第２の封印部７１ｂとが設けられている。上記第１の封印部の端部７１ａ−１及び上記第２の封印部の端部７１ｂ−１は、例えば糊付けなどにより、それぞれケース本体の裏面１０ｂ−１に接着されている。これにより、上記第１及び第２の封印部７１がそれぞれ上縁部１０ｃと右縁部１０ｅとで開口１１ａ及び１１ｂを挟み込むように封印している。
【００６２】
図１６は、カード使用者が上記粘着部１３ａから上記剥離部７４を剥離させる様子を示す図である。上述のように、本実施形態に係るカードケース３００は、折り返し部７２が、剥離部７４から折り返されている。これにより、上記封印部７１を裏面１０ｂ−１から剥がし、上記開口１１ａ及び１１ｂの封印を解いた後、折り返し部７２を折り返された方向(上記第２の角部１０ｈから上記第１の角部１０ｇへ向かう方向)に移動させると、上記粘着部１３ａから上記剥離部７４を折り返し線７３から剥がすことができる。
【００６３】
図１７は、カード使用者が財布４０のカード収容部４１に上記カードケース３００を挿入した後に、上記粘着部１３ａから上記剥離部７４を剥がす様子を示す図である。上述のように、上記剥離部７４を折り返し線７３から剥がすことができることによって、カード使用者が、財布４０のカード収容部４１に上記カードケース３００を挿入した後に、上記粘着部１３ａから上記剥離部７４を剥がし、当該粘着部１３ａを露出させることができる。
【００６４】
このように、カードケース３００を挿入した後に、粘着部１３ａを露出させることができることで、カード使用者が意図しないカード収容部４１または５１(図９または図１０参照)の位置に、カードケース３００が貼り付けられてしまうことを防止することができる。すなわち、カード収容部４１または５１の内面の適切な位置に適切にカードケース３００を貼り付けることができる。
【００６５】
さらに、本実施形態においては、折り返し部７２がケース本体１０に斜め方向に配置されている。これにより、カード収容部４１または５１が非接触型ＩＣカードの長手方向へ出し入れされる形状であっても、短手方向へ出し入れされる形状であっても、カードケース３００をカード収容部４１または５１に挿入した状態で、上記粘着部１３ａから上記剥離部７４を剥がし、当該粘着部１３ａを露出させることができる。
【００６６】
(第４実施形態)  
次に、第４実施形態について説明する。
【００６７】
図１８は、本実施形態に係るカードケースを示す図であり、図１９は、当該カードケースを構成する封印部材の展開図である。
【００６８】
これらの図に示すように、本実施形態に係るカードケース４００は、上記第１の実施形態に係るケース本体１０と封印部材８０とで構成されている。
【００６９】
本実施例においては、特に、ケース本体１０に設けられた粘着部と、封印部材８０とが上述の第３実施形態とは異なるため、当該粘着部及び封印部材８０を中心に説明する。
【００７０】
図１８に示すように、粘着部１３ｃは、上記ケース本体の表面１０ａ−１に設けられている。この粘着部１３ｃは、略矩形の形状をしており、上記表面１０ａ−１の面積の大部分を占める広さとなっている。これにより、カードケース４００が財布のカード収容部から外れることを防止する効果がより大きくなる。
【００７１】
図１９に示すように、封印部材８０は、剥離部８４と、折り返し部８２と、第１の封印部８１ａ及び第２の封印部８１ｂとで構成されている。
【００７２】
上記剥離部８４は、略矩形の形状であり、上記粘着部１３ｃを覆うように、当該粘着部１３ｃに剥離可能に貼り付けられている。この剥離部８４から、折り返し線８３により、折り返し部８２が折り返されている。この折り返し部８２は、斜め方向(第２の角部１０ｈから第１の角部１０ｇへ向かう方向)に長い形状となっている。この折り返し部８２の端部から分岐するように、上記第１の封印部８１ａと上記第２の封印部８１ｂとが設けられている。上記第１及び第２の封印部８１は、それぞれ上記第１の角部１０ｇ近傍で、開口１１と１１ｂとを封印している。
【００７３】
カード使用者が上記粘着部１３ｃから上記剥離部８４を剥離させる様子を図２０に示す。カード使用者は、上記封印部８１を裏面１０ｂ−１から剥がし、当該封印部８１を把持して斜め方向(上記第２の角部１０ｈから上記第１の角部１０ｇへ向かう方向)へ移動させる。これにより、上記粘着部１３ｃから上記剥離部８４を、折り返し線８３から剥がすことができるため、例えば財布のカード収容部４１または５１(図９または図１０参照)に上記カードケース４００を挿入した後に粘着部１３ｃを露出することができる。
【００７４】
なお、本実施形態に係る粘着部１３ｃ及び剥離部８４は、略矩形の形状であった。しかし、粘着部の粘着面積を広くし、財布のカード収容部４１または５１から上記カードケース４００が外れることを防止する効果を大きくすることができればよく、上記粘着部１３ｃ及び剥離部８４は、例えば、円形や楕円形状であってもよい。
【００７５】
(第５実施形態)  
次に、第５実施形態について説明する。
【００７６】
図２１は本実施形態に係るカードケースの平面図であり、図２２は、当該カードケースの背面図である。また、図２３は、図２１中に示すＣ−Ｃ’間の断面図である。
【００７７】
これらの図に示すように本実施形態に係るカードケース５００は、上記第１の実施形態に係るケース本体１０と、封印部材９０とで構成されている。
【００７８】
本実施形態に係るカードケース５００は、封印部材９０と、ケース本体に設けられた粘着部とが、上述の第１実施形態と異なるため、それらを中心に説明する。
【００７９】
ケース本体の表面１０ａ−１には、斜め方向(上記第１の角部１０ｇから上記第２の角部１０ｈへ向かう方向)に長い形状でなる第１の粘着部１３ａが設けられている。さらに、本実施形態においては、裏面１０ｂ−１にも、斜め方向に長い形状からなる第２の粘着部１３ｄが設けられている。このように、第２の粘着部１３ｄを裏面１０ｂ−１にも設けることで、財布４０または５０のカード収容部４１または５１(図９または図１０参照)から上記カードケース５００が外れることを防止する効果がより大きくなる。
【００８０】
上記封印部材９０は、第１の剥離部９２ａと、第２の剥離部９２ｂと、第１の封印部９１ａと、第２の封印部９１ｂとで構成されている。
【００８１】
上記第１の剥離部９２ａは、斜め方向(上記第１の角部１０ｇから上記第２の角部１０ｈへ向かう方向)に長い形状であり、上記第１の粘着部１３ａを覆うように、当該第１の粘着部１３ａに剥離可能に設けられている。第２の剥離部９２ｂも同様に、斜め方向に長い形状であり、上記第２の粘着部１３ｄを覆うように、当該第２の粘着部１３ｄに剥離可能に設けられている。上記第１の剥離部９２ａと、上記第２の剥離部９２ｂとの端部から、それぞれ分岐するように第１及び第２の封印部９１が設けられている。第１の封印部９１ａは、当該第１の封印部９１ａの折り返し線９１ａ−１により折り返され、上縁部１０ｃに設けられた開口１１ａを、第１の角部１０ｇ近傍で封印している。上記第２の封印部９１ｂは、当該第２の封印部９１ｂの折り返し線９１ｂ−１により折り返され、右縁部１０ｅに設けられた開口１１ｂを、第１の角部１０ｇ近傍で封印している。
【００８２】
カード使用者は、上記第１の封印部９１ａを例えば指、ハサミ、ペーパーナイフなどにより、当該第１の封印部の折り返し線９１ａ−１で分離させ、上記第２の封印部９１ｂも当該第２の封印部の折り返し線９１ｂ−１で分離させる。ここで、分離させることを容易にするため、上記第１の封印部９１ａの折り返し線９１ａ−１及び上記第２の封印部９１ｂの折り返し線９１ｂ−１にそれぞれ切り込みを設けておいてもよい。
【００８３】
カード使用者は、封印部９１を分離させた後、表面１０ａ−１方向に分離された封印部９１を把持し、斜め方向(上記第１の角部１０ｇから第２の角部１０ｈへ向かう方向)へ移動させることで、上記第１の粘着部１３ａを露出させる。また、裏面１０ｂ−１方向に分離された封印部９１を把持し、斜め方向へ移動させることで上記第２の粘着部１３ｄを露出させる。その後、カード使用者は、カードケース５００を例えば財布のカード収容部４１または５１(図９または図１０参照)などに挿入することで、スキミングを防止することができる。
【００８４】
以上説明したカードケースは、上記各実施形態に限られず、種々の変形が可能である。
【００８５】
例えば、上記各実施形態ではケース本体の表側部材、裏側部材に金属膜が設けられる構成であった。しかし、ケース本体自体を金属繊維で織られた織物などで構成することによって電磁波を遮断するようにしてもよく、その他の電磁波を遮断することができる物でケース本体自体を構成するようにしてもよい。
【００８６】
上記第２実施形態に係る封印部材６０は、剥離部６２と封印部６１とが繋がるように構成されているが、剥離部６２と封印部６１との間に当該剥離部６２から折り返された折り返し部を設けるように構成してもよい。
【００８７】
あるいは、第１、３〜５の実施形態に係るケース本体１０に、第２の実施形態に係る封印部材６０が２つ以上貼り付けられていてもよい。この場合、例えば２つの封印部材６０が、縦方向（図１のＺ方向）及び横方向（図１のＹ方向）に延びるように配置される。当該２つの封印部材６０は、ケース本体１０の上縁部１０ｃ及び右縁部１０ｅの開口１１ａ及び１１ｂをそれぞれ封印する。
【００８８】
また、上記第５実施形態に係る第１の粘着部１３ａ及び第２の粘着部１３ｄのうち少なくとも１つを上記第４実施形態に係る粘着部１３ｃのような広く、矩形の形状の粘着部としてもよい。あるいは、第１の剥離部９２ａ及び第２の剥離部９２ｂのうち少なくともいずれか１つに折り返し部を設けるようにしても構わない。
【図面の簡単な説明】
【００８９】
【図１】本発明の第１の実施形態に係るカードケースを示す平面図である。
【図２】第１の実施形態に係るカードケースを示す底面図である。
【図３】第１の実施形態におけるケース本体を示す斜視図である。
【図４】第１の実施形態における封印部材を示す展開図である。
【図５】図１中に示すA−A’間の断面図である。
【図６】第１の実施形態に係るカードケースに収容される非接触型ＩＣカードの内部構造を示す図である。
【図７】第１の実施形態において、カード使用者が、開口の封印を解く際の状態を示す図である。
【図８】第１の実施形態において、カード使用者が、粘着部を露出させる際の状態を示す図である。
【図９】第１の実施形態において、カード使用者が長手方向に非接触型ＩＣカードが出し入れされる形状の財布に、ケース本体を挿入する状態を示す図である。
【図１０】第１の実施形態において、カード使用者が、短手方向に非接触型ＩＣカードが出し入れされる形状の財布に、ケース本体を挿入する状態を示す図である。
【図１１】本発明の第２の実施形態に係るカードケースを示す平面図である。
【図１２】第２の実施形態に係るカードケースを示す底面図である。
【図１３】本発明の第３の実施形態に係るカードケースの平面図である。
【図１４】第３の実施形態に係るカードケースを構成する封印部材の展開図である。
【図１５】図１３中に示すＢ−Ｂ’間の断面図である。
【図１６】第３の実施形態において、カード使用者が粘着部から剥離部を剥離させる様子を示す図である。
【図１７】第３の実施形態において、カード使用者が、長手方向に非接触型ＩＣカードが出し入れされる形状の財布のカード収容部に、カードケースを挿入した後に、粘着部から剥離部を剥がす様子を示す図である。
【図１８】本発明の第４の実施形態に係るカードケースを示す平面図である。
【図１９】第４の実施形態に係るカードケースを構成する封印部材の展開図である。
【図２０】第４の実施形態において、カード使用者が粘着部から剥離部を剥離させる様子を示す図である。
【図２１】本発明の第５の実施形態に係るカードケースの平面図である。
【図２２】、第５の実施形態に係るカードケースの背面図である。
【図２３】図２１中に示すＣ−Ｃ’間の断面図である。
【符号の説明】
【００９０】
１０、１５…ケース本体
１１ａ、１１ｂ、１１ｃ…開口
１２ａ、１２ｂ…金属膜
１３ａ、１３ｂ、１３ｃ、１３ｄ…粘着部
２０、６０、７０、８０、９０…封印部材
２１、６１、７１、８１、９１…封印部
２２、６２、７４、８４、９２…剥離部
３０、３０ａ、３０ｂ、３０ｃ…非接触型ＩＣカード
４０、５０…財布
７２、８２…折り返し部
１００、２００、３００、４００、５００…カードケース
【図１】
2008264261.tif 000003
【図２】
2008264261.tif 000004
【図３】
2008264261.tif 000005
【図４】
2008264261.tif 000006
【図５】
2008264261.tif 000007
【図６】
2008264261.tif 000008
【図７】
2008264261.tif 000009
【図８】
2008264261.tif 000010
【図９】
2008264261.tif 000011
【図１０】
2008264261.tif 000012
【図１１】
2008264261.tif 000013
【図１２】
2008264261.tif 000014
【図１３】
2008264261.tif 000015
【図１４】
2008264261.tif 000016
【図１５】
2008264261.tif 000017
【図１６】
2008264261.tif 000018
【図１７】
2008264261.tif 000019
【図１８】
2008264261.tif 000020
【図１９】
2008264261.tif 000021
【図２０】
2008264261.tif 000022
【図２１】
2008264261.tif 000023
【図２２】
2008264261.tif 000024
【図２３】
2008264261.tif 000025
【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
アンテナを有する非接触型ＩＣカードが収容され、カード収容部の内面に貼り付けられるカードケースであって、
前記非接触型ＩＣカードが出し入れされる開口を有するケース本体と、
前記ケース本体に設けられ、前記アンテナにより送受信される電磁波を遮蔽する遮蔽部と、
前記開口に近接する第１の端部と、前記第１の端部とは反対側の、前記開口に近接しない第２の端部とを有し、前記ケース本体に設けられ、前記カード収容部の前記内面に粘着する粘着部と、
前記粘着部を覆うように前記粘着部に剥離可能に貼り付けられた剥離部と、前記第２の端部で、前記開口へ向けて前記剥離部から折り返され、前記剥離部に重なるように設けらた折り返し部と、前記折り返し部に設けられ、前記開口を封印する封印部とを有する封印部材と
を具備することを特徴とするカードケース。
【請求項２】
請求項１に記載のカードケースであって、
前記ケース本体は、第１の長さでなる第１の縁部と、前記第１の縁部に隣接し、前記第１の長さより長い第２の長さでなる第２の縁部と、前記第１の縁部及び前記第２の縁部が繋がる第１の角部と、前記第１の角部の対角線上に位置する第２の角部とをさらに有し、
前記開口は、前記第１の縁部と前記第２の縁部とに連続して設けられ、
前記第１の端部は、前記第１の角部で前記開口に近接し、
前記第２の端部は、前記第２の角部に配置され、
前記折り返し部は、前記第２の角部で、前記第１の角部へ向けて前記剥離部から折り返され、
前記封印部は、前記第１の角部で、前記第１の縁部の前記開口及び前記第２の縁部の前記開口をそれぞれ封印する
ことを特徴とするカードケース。
【請求項３】
請求項２に記載のカードケースであって、
前記粘着部は、前記第１の角部から前記第２の角部へ向かう方向に長い形状を有する
ことを特徴とするカードケース。
【請求項４】
請求項２に記載のカードケースであって、
前記封印部は、分岐して形成される
ことを特徴とするカードケース。
【請求項５】
請求項２に記載のカードケースであって、
前記ケース本体は、表面を有し、
前記粘着部は、前記表面の大部分を占める面積を有する
ことを特徴とするカードケース。
【請求項６】
アンテナを有する非接触型ＩＣカードが収容され、カード収容部の内面に貼り付けられるカードケースであって、
表面と、前記表面と反対側の裏面と、前記表面と前記裏面とを区切るように設けられ、前記非接触型ＩＣカードが出し入れされる開口とを有するケース本体と、
前記ケース本体に設けられ、前記アンテナにより送受信される電磁波を遮蔽する遮蔽部と、
前記開口に近接する第１の端部と、前記第１の端部とは反対側の、前記開口に近接しない第２の端部とを有し、前記表面に設けられ、前記カード収容部の前記内面に粘着する第１の粘着部と、
前記開口に近接する第１の端部と、前記第１の端部とは反対側の、前記開口に近接しない第２の端部とを有し、前記裏面に設けられ、前記カード収容部の前記内面に粘着する第２の粘着部と、
前記第１の粘着部及び前記第２の粘着部を覆うように、前記第１の粘着部及び前記第２の粘着部に剥離可能に貼り付けられた第１の剥離部及び第２の剥離部と、前記第１の粘着部の前記第２の端部で、前記開口へ向けて前記第１の剥離部から折り返され、前記第１の剥離部に重なるように設けられた第１の折り返し部と、前記第２の粘着部の前記第２の端部で、前記開口へ向けて前記第２の剥離部から折り返され、前記第２の剥離部に重なるように設けられた第２の折り返し部と、前記第１の折り返し部及び前記第２の折り返し部を繋ぐように設けられ、前記表面から前記裏面にかけて折り返されて前記開口を封印する封印部とを有する封印部材と
を具備することを特徴とするカードケース。
【請求項７】
請求項６に記載のカードケースであって、
前記ケース本体は、第１の長さでなる第１の縁部と、前記第１の縁部に隣接し、前記第１の長さより長い第２の長さでなる第２の縁部と、前記第１の縁部及び前記第２の縁部とが繋がる第１の角部と、前記第１の角部の対角線上に位置する第２の角部とをさらに有し、
前記開口は、前記第１の縁部と前記第２の縁部とに連続して設けられ、
前記第１の粘着部の前記第１の端部、及び前記第２の粘着部の前記第１の端部は、前記第１の角部で前記開口にそれぞれ近接し、
前記第１の粘着部の前記第２の端部、及び前記第２の粘着部の前記第２の端部は、前記第２の角部にそれぞれ配置され、
前記第１の折り返し部及び前記第２の折り返し部は、前記第２の角部で、前記第１の角部へ向けて前記第１の剥離部及び前記第２の剥離部からそれぞれ折り返され、
前記封印部は、前記第１の角部で、前記第１の縁部の前記開口、及び前記第２の縁部の前記開口をそれぞれ封印する
ことを特徴とするカードケース。
【請求項８】
請求項７に記載のカードケースであって、
前記第１の粘着部及び前記第２の粘着部は、それぞれ前記第１の角部から前記第２の角部へ向かう方向に長い形状を有する
ことを特徴とするカードケース。
【手続補正２】
【補正対象書類名】明細書
【補正対象項目名】０００９
【補正方法】変更
【補正の内容】
【０００９】
上記目的達成のため、本発明に係るカードケースは、アンテナを有する非接触型ＩＣカードが収容され、カード収容部の内面に貼り付けられるカードケースであって、前記非接触型ＩＣカードが出し入れされる開口を有するケース本体と、前記ケース本体に設けられ、前記アンテナにより送受信される電磁波を遮蔽する遮蔽部と、前記開口に近接する第１の端部と、前記第１の端部とは反対側の、前記開口に近接しない第２の端部とを有し、前記ケース本体に設けられ、前記カード収容部の前記内面に粘着する粘着部と、前記粘着部を覆うように前記粘着部に剥離可能に貼り付けられた剥離部と、前記第２の端部で、前記開口へ向けて前記剥離部から折り返され、前記剥離部に重なるように設けらた折り返し部と、前記折り返し部に設けられ、前記開口を封印する封印部とを有する封印部材とを具備することを特徴とする。
【手続補正３】
【補正対象書類名】明細書
【補正対象項目名】００１１
【補正方法】変更
【補正の内容】
【００１１】
上記封印部材は、上記粘着部に貼り付けられた剥離部と、当該剥離分から折り返された折り返し部と、封印部とを有している。これにより、封印部の封印を解いた後、折り返し部を折り返された方向へ移動させると、上記粘着部から上記剥離部を、折り返された部分から剥がすことができる。これにより、例えば、財布のカード収容部に上記カードケースを挿入した後に、上記粘着部から上記剥離部を剥がすことができる。
【手続補正４】
【補正対象書類名】明細書
【補正対象項目名】００１２
【補正方法】変更
【補正の内容】
【００１２】
本発明に係るカードケースは、上述のように粘着部を具備している。これにより、例えば財布のカード収容部に、本発明に係るカードケースを挿入することで、カード収容部の内面に粘着部が貼り付けられ、カードケースが財布のカード収容部から外れることを防止することができる。これにより、非接触型ＩＣカード携帯時においてもスキミングを防止することができる。
【手続補正５】
【補正対象書類名】明細書
【補正対象項目名】００１３
【補正方法】変更
【補正の内容】
【００１３】
上記カードケースにおいて、前記ケース本体は、第１の長さでなる第１の縁部と、前記第１の縁部に隣接し、前記第１の長さより長い第２の長さでなる第２の縁部と、前記第１の縁部及び前記第２の縁部が繋がる第１の角部と、前記第１の角部の対角線上に位置する第２の角部とをさらに有し、前記開口は、前記第１の縁部と前記第２の縁部とに連続して設けられ、前記第１の端部は、前記第１の角部で前記開口に近接し、前記第２の端部は、前記第２の角部に配置され、前記折り返し部は、前記第２の角部で、前記第１の角部へ向けて前記剥離部から折り返され、前記封印部は、前記第１の角部で、前記第１の縁部の前記開口及び前記第２の縁部の前記開口をそれぞれ封印してもよい。
本発明では、第１の縁部と第２の縁部とに連続して開口が設けられているため、例えば、財布のカード収容部に本発明に係るカードケースを挿入する場合、上記開口が設けられている第１の縁部又は第２の縁部のうちいずれか一方を財布のカード収容部に設けられた挿入口に対応させることができる。これにより、財布のカード収容部が非接触型ＩＣカードの長手方向へ出し入れされる形状であっても、短手方向へ出し入れされる形状であっても、カードケースを財布のカード収容部に挿入した状態で、非接触型ＩＣカードを収容部から出し入れすることができる。
また、上記折り返し部は、第２の角部近傍で、第１の角部へ向けて剥離部から斜めに折り返されている。これにより、財布のカード収容部が非接触型ＩＣカードの長手方向へ出し入れされる形状であっても、短手方向へ出し入れされる形状であっても、カードケースを財布のカード収容部に挿入した状態で、上記粘着部から容易に上記剥離部を剥がすことができる。
【手続補正６】
【補正対象書類名】明細書
【補正対象項目名】００１４
【補正方法】変更
【補正の内容】
【００１４】
上記カードケースにおいて、前記粘着部は、前記第１の角部から前記第２の角部へ向かう方向に長い形状を有していてもよい。
【手続補正７】
【補正対象書類名】明細書
【補正対象項目名】００１６
【補正方法】変更
【補正の内容】
【００１６】
上記カードケースにおいて、前記封印部は、分岐して形成されてもよい。
【手続補正８】
【補正対象書類名】明細書
【補正対象項目名】００１７
【補正方法】変更
【補正の内容】
【００１７】
上記カードケースにおいて、前記ケース本体は、表面を有し、前記粘着部は、前記表面の大部分を占める面積を有してもよい。
【手続補正９】
【補正対象書類名】明細書
【補正対象項目名】００１８
【補正方法】変更
【補正の内容】
【００１８】
これにより、財布や定期入れなどのカード収容部の内面から、カードケースの粘着部が剥がれてしまうことを効果的に防止することができる。
【手続補正１０】
【補正対象書類名】明細書
【補正対象項目名】００１９
【補正方法】変更
【補正の内容】
【００１９】
本発明の他の観点に係るカードケースは、アンテナを有する非接触型ＩＣカードが収容され、カード収容部の内面に貼り付けられるカードケースであって、表面と、前記表面と反対側の裏面と、前記表面と前記裏面とを区切るように設けられ、前記非接触型ＩＣカードが出し入れされる開口とを有するケース本体と、前記ケース本体に設けられ、前記アンテナにより送受信される電磁波を遮蔽する遮蔽部と、前記開口に近接する第１の端部と、前記第１の端部とは反対側の、前記開口に近接しない第２の端部とを有し、前記表面に設けられ、前記カード収容部の前記内面に粘着する第１の粘着部と、前記開口に近接する第１の端部と、前記第１の端部とは反対側の、前記開口に近接しない第２の端部とを有し、前記裏面に設けられ、前記カード収容部の前記内面に粘着する第２の粘着部と、前記第１の粘着部及び前記第２の粘着部を覆うように、前記第１の粘着部及び前記第２の粘着部に剥離可能に貼り付けられた第１の剥離部及び第２の剥離部と、前記第１の粘着部の前記第２の端部で、前記開口へ向けて前記第１の剥離部から折り返され、前記第１の剥離部に重なるように設けられた第１の折り返し部と、前記第２の粘着部の前記第２の端部で、前記開口へ向けて前記第２の剥離部から折り返され、前記第２の剥離部に重なるように設けられた第２の折り返し部と、前記第１の折り返し部及び前記第２の折り返し部を繋ぐように設けられ、前記表面から前記裏面にかけて折り返されて前記開口を封印する封印部とを有する封印部材とを具備することを特徴とする。
【手続補正１１】
【補正対象書類名】明細書
【補正対象項目名】００２０
【補正方法】変更
【補正の内容】
【００２０】
上記カードケースにおいて、前記ケース本体は、第１の長さでなる第１の縁部と、前記第１の縁部に隣接し、前記第１の長さより長い第２の長さでなる第２の縁部と、前記第１の縁部及び前記第２の縁部とが繋がる第１の角部と、前記第１の角部の対角線上に位置する第２の角部とをさらに有し、前記開口は、前記第１の縁部と前記第２の縁部とに連続して設けられ、前記第１の粘着部の前記第１の端部、及び前記第２の粘着部の前記第１の端部は、前記第１の角部で前記開口にそれぞれ近接し、前記第１の粘着部の前記第２の端部、及び前記第２の粘着部の前記第２の端部は、前記第２の角部にそれぞれ配置され、前記第１の折り返し部及び前記第２の折り返し部は、前記第２の角部で、前記第１の角部へ向けて前記第１の剥離部及び前記第２の剥離部からそれぞれ折り返され、前記封印部は、前記第１の角部で、前記第１の縁部の前記開口、及び前記第２の縁部の前記開口をそれぞれ封印してもよい。
【手続補正１２】
【補正対象書類名】明細書
【補正対象項目名】００２１
【補正方法】変更
【補正の内容】
【００２１】
上記カードケースにおいて、前記第１の粘着部及び前記第２の粘着部は、それぞれ前記第１の角部から前記第２の角部へ向かう方向に長い形状を有していてもよい。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】